(57)【特許請求の範囲】
【請求項１】
出力軸を有する電動機を内蔵するハウジング部と、  被加工材上に載置されるベース部と、  該ベース部から反被加工材側に延出され、前記出力軸を挟んで対向する前記ベース部上に設けられた一対のコラムと、  前記出力軸に取り付けられ被加工材を切削する刃物と、  前記出力軸の回転を固定するロック機構とを備えた携帯用ルータにおいて、  前記ハウジング部の外周面に設けられ、前記コラムの延出方向と平行に延びる少なくとも１つの突出部を設け、  該突出部の前記ハウジング部に接続される部分は、前記一対のコラムの各コラムの中心を結ぶ第１仮想線に対して略直交するように構成されており、  前記突出部は、前記第１仮想線と、前記出力軸の中心を通り前記第１仮想線に直交する第２仮想線とにより区画される４つの領域内の第１領域に位置し、  前記ロック機構は、前記第１領域に位置することを特徴とする携帯用ルータ。
【請求項２】
前記第１領域内の前記ロック機構の延長線上に、前記突出部が設けられていることを特徴とする請求項１記載の携帯用ルータ。
【請求項３】
前記第１仮想線に対して前記第１領域側であって前記第１領域に隣接する第２領域に第２突出部を設け、  前記第２突出部の前記ハウジング部に接続される部分は、前記第１仮想線に対して略直交すると共に、前記第２仮想線に対して反対側に位置することを特徴とする請求項１又は請求項２記載の携帯用ルータ。
【請求項４】
前記ベース部は前記刃物が貫通する貫通穴を有し、  前記ハウジング部は、該貫通穴からの前記刃物の突出量を変更可能に前記コラムに支持されており、  更に、前記貫通穴からの前記刃物の突出量を調整する突出量調整機構を有し、  該突出量調整機構は、前記コラムと平行に延びると共に該ベース部に対して近接・離間する方向に移動可能なバー部材と、該バー部材の移動を規制する固定部材を備え、  該固定部材は、前記第２領域に位置することを特徴とする請求項３記載の携帯用ルータ。
【請求項５】
前記第１仮想線に対して反第１領域側であって前記第１領域に隣接する第３領域に第３の突出部を設けると共に、前記第１仮想線に対して反第１領域側であって前記第３領域に隣接する第４領域に第４の突出部を設け、  前記第３突出部及び前記第４突出部の前記ハウジング部に接続される第３面及び第４面は、互いに反対方向を向いていると共に前記第１仮想線に対して略直交していることを特徴とする請求項３記載の携帯用ルータ。
【請求項６】
前記ハウジング部は、前記電動機を収納するハウジングと、該ハウジングの下方に取り付けられ前記出力軸を支持するエンドブラケットを有し、  該エンドブラケットは前記ハウジングに対してネジで固定され、  該ネジは前記突出部に位置することを特徴とする請求項１乃至請求項５のいずれかに記載の携帯用ルータ。
【請求項７】
出力軸を有する電動機を内蔵するハウジング部と、  被加工材上に載置されるベース部と、  該ベース部から反被加工材側に延出され、前記出力軸を挟んで対向する前記ベース部上に設けられた一対のコラムと、  前記出力軸に取り付けられ被加工材を切削する刃物と、  前記出力軸の回転を固定するロック機構とを備えた携帯用ルータにおいて、  前記ハウジング部の外周面に設けられ、作業者の手又は指を掛けるための指掛け部を設け、  前記ベース部から前記ハウジング部を見た際に、前記一対のコラムの各コラムの中心を結ぶ第１仮想線と、前記出力軸の中心を通り前記第１仮想線に直交する第２仮想線とにより区画された第１領域内に、前記ロック機構と前記指掛け部が近接して配置されており、  前記ロック機構の延長線上に、前記指掛け部が設けられていることを特徴とする携帯用ルータ。
【請求項８】
前記指掛け部の前記ハウジング部と接続されている部分は、前記第１仮想線に対して略直交していることを特徴とする請求項７記載の携帯用ルータ。 
【発明の詳細な説明】
【技術分野】
【０００１】
本発明は、携帯用ルータに関するものである。
【背景技術】
【０００２】
従来の携帯用ルータを図６乃至図９を用いて説明する。
【０００３】
図６に示すように、従来の携帯用ルータ１００（以下ルータと称す）は、図示しない電動機を内蔵するハウジング１０１と、ハウジング１０１の下部に取付けられ、電動機の出力軸１０２の一端を支持するエンドブラケット１０３と、電動機の出力軸１０２の先端にコレットチャック１０４を介し取り付けられる刃物１０５と、エンドブラケット１０３の下部に取り付けられ、電動機の出力軸１０２の回転を固定するシャフトロック１０６と、エンドブラケット１０３の下方に設けられ被加工材上を摺動するベース１０７で主に構成されている。
【０００４】
刃物１０５を出力軸１０２に対して着脱する場合、一般的に、図７に示すように、ルータ自体を横にした状態で、作業者が人指し指でシャフトロック１０６を押して出力軸１０２を固定した後、スパナ２００でコレットチャック１０４を回転させることにより、刃物１０５の着脱を行う。このとき、スパナ２００の回転力でルータ本体が動かないように、人指し以外の指又は手の平で本体（ハウジング１０１）を押さえながら刃物１０５の着脱を行っている。
【先行技術文献】
【特許文献】
【０００５】
【特許文献１】特開２００８−３６９４３号公報
【発明の概要】
【発明が解決しようとする課題】
【０００６】
従来の携帯用ルータは、刃物を着脱する際、図７及び図９に示すように、作業者が人指し以外の指又は手の平でルータ本体を押さえながら行っているが、図８に示すように、ルータ本体すなわちハウジング１０１の外面（作業者が押さえる箇所）がほぼ面状であるため、スパナ２００を回転させた際に作業者の手（指）が滑ってしまい安定して押さえることが困難であった。
【０００７】
本発明の目的は、刃物交換時の操作性を向上させ、且つ小型・軽量なルータを提供することである。
【課題を解決するための手段】
【０００８】
上記目的を達成するため、本発明は、出力軸を有する電動機を内蔵するハウジング部と、被加工材上に載置されるベース部と、該ベース部から反被加工材側に延出され、前記出力軸を挟んで対向する前記ベース部上に設けられた一対のコラムと、前記出力軸に取り付けられ被加工材を切削する刃物と、前記出力軸の回転を固定するロック機構とを備えた携帯用ルータにおいて、前記ハウジング部の外周面に設けられ、前記コラムの延出方向と平行に延びる少なくとも１つの突出部を設け、該突出部の前記ハウジング部に接続される部分は、前記一対のコラムの各コラムの中心を結ぶ第１仮想線に対して略直交するように構成されていることを特徴としている。
【０００９】
このような構成とすることによって、作業者がハウジング部を把持した際に作業者の指が滑りにくくなり、安定してルータ本体を押さえることができ、作業性を向上することができる。
【００１０】
ここで、前記突出部は、前記第１仮想線と、前記出力軸の中心を通り前記第１仮想線に直交する第２仮想線とにより区画される４つの領域内の第１領域に位置し、前記ロック機構は、前記第１領域に位置することが好ましい。
【００１１】
このような構成とすることによって、突出部の近傍にロック機構が設けられるため、ルータ本体を安定して押さえながら出力軸を容易にロックすることができる。
【００１２】
また、前記第１領域内の前記ロック機構の延長線上に、前記突出部が設けられていることが好ましい。このような構成とすることによって、突出部に引っ掛けた指を少しだけずらすだけで出力軸をロックすることができ、作業性がより向上する。
【００１３】
また、前記第１仮想線に対して前記第１領域側であって前記第１領域に隣接する第２領域に第２突出部を設け、前記第２突出部の前記ハウジング部に接続される部分は、前記第１仮想線に対して略直交すると共に、前記第２仮想線に対して反対側に位置することが好ましい。
【００１４】
このような構成とすることによって、作業者がルータ本体を押さえる際に、親指を一方の突出部に、その他の指を他方の突出部に引っ掛けることができるため、より安定してルータ本体を押さえることができる。
【００１５】
また、前記ベース部は前記刃物が貫通する貫通穴を有し、前記ハウジング部は、該貫通穴からの前記刃物の突出量を変更可能に前記コラムに支持されており、更に、前記貫通穴からの前記刃物の突出量を調整する突出量調整機構を有し、該突出量調整機構は、前記コラムと平行に延びると共に該ベース部に対して近接・離間する方向に移動可能なバー部材と、該バー部材の移動を規制する固定部材を備え、該固定部材は、前記第２領域に位置することが好ましい。
【００１６】
このような構成とすることによって、固定部材にも指を引っ掛けることができるため、作業者の指又は掌の大きさに応じて指の引っ掛け箇所を選択することができ、操作性を向上することができる。
【００１７】
また、前記第１仮想線に対して反第１領域側であって前記第１領域に隣接する第３領域に第３の突出部を設けると共に、前記第１仮想線に対して反第１領域側であって前記第３領域に隣接する第４領域に第４の突出部を設け、前記第３突出部及び前記第４突出部の前記ハウジング部に接続される第３面及び第４面は、互いに反対方向を向いていると共に前記第１仮想線に対して略直交していることが好ましい。
【００１８】
このような構成とすることによって、用途に応じて把持する突出部を選択することができる。
【００１９】
また、前記ハウジング部は、前記電動機を収納するハウジングと、該ハウジングの下方に取り付けられ前記出力軸を支持するエンドブラケットを有し、該エンドブラケットは前記ハウジングに対してネジで固定され、該ネジは前記突出部に位置することが好ましい。
【００２０】
このような構成とすることによって、突出部にねじを取り付ける構成のため、別途ねじ取付部を設ける必要がなくなり、ルータ自体の小型・軽量化を図ることができる。
【００２１】
更に、本発明は、出力軸を有する電動機を内蔵するハウジング部と、被加工材上に載置されるベース部と、該ベース部から反被加工材側に延出され、前記出力軸を挟んで対向する前記ベース部上に設けられた一対のコラムと、前記出力軸に取り付けられ被加工材を切削する刃物と、前記出力軸の回転を固定するロック機構とを備えた携帯用ルータにおいて、前記ハウジング部の外周面に設けられ、作業者の手又は指を掛けるための指掛け部を設け、前記ベース部から前記ハウジング部を見た際に、前記一対のコラムの各コラムの中心を結ぶ第１仮想線と、前記出力軸の中心を通り前記第１仮想線に直交する第２仮想線とにより区画された第１領域内に、前記ロック機構と前記指掛け部が近接して配置されていることを特徴としている。
【００２２】
このような構成とすることによって、作業者がルータ本体を押さえた際に、作業者の指の滑りを抑えつつ容易に出力軸をロックすることができるため、安定してルータ本体を押さえながら容易に刃物の着脱を行うことができ、操作性を向上することができる。
【００２３】
また、前記ロック機構の延長線上に、前記指掛け部が設けられていることが好ましい。このような構成とすることによって、指掛け部に掛けた指を少しずらすだけで出力軸をロックすることができ、作業性がより向上する。
【００２４】
また、前記指掛け部の前記ハウジング部と接続されている部分は、前記第１仮想線に対して略直交していることが好ましい。このような構成とすることによって、接続部分に作業者の指が引っ掛かり易くなりため、ルータ本体を押さえている際に指が滑ることを抑制でき安定してルータ本体を押さえることができる。
【発明の効果】
【００２５】
本発明によれば、ハウジング外周部に突出部を設け、突出部のハウジングへの接続部を前記一対のコラムの各コラムの中心を結ぶ第１仮想線に対して略直交するように構成したため、安定してルータ本体を押さえることができ、刃物着脱の際の操作性の良いルータを提供することができる。
【図面の簡単な説明】
【００２６】
【図１】本発明となるルータ本体の正面図である。
【図２】図１の矢印Ｂから見たルータの底面図である。
【図３】作業者がルータ本体を把持した状態を示す図１の矢印Ｂから見たルータの底面図である。
【図４】本発明となるルータの刃物着脱状態を示す本体斜視図である。
【図５】図１の要部Ａの断面図である。
【図６】従来のルータ本体の正面図である。
【図７】従来のルータの刃物着脱状態を示す本体斜視図である。
【図８】図６の矢印Ｂから見たルータの底面図である。
【図９】作業者がルータ本体を把持した状態を示す図６の矢印Ｂから見たルータの底面図である。
【発明を実施するための形態】
【００２７】
以下に本発明の実施形態を図１乃至図５に基づいて説明する。
【００２８】
図１は本発明の実施形態に係るルータの正面図、図２は図１の矢印Ｂから見た底面図、図３は図２で作業者がルータを把持した状態を示す図である。図４は、刃物の着脱状態を示す本体斜視図、図５は図１の要部Ａの断面図である。
【００２９】
まず、本発明となる携帯用ルータ１（以下ルータと称す）の構成について説明する。図１に示すように、ルータ１は、図示しない電動機を内蔵するハウジング部２と、ハウジング部２の一部を構成し電動機の出力軸３の一端を支持するエンドブラケット４と、電動機の出力軸３の先端にコレットチャック５を介して取り付けられる刃物６と、エンドブラケット４の下端部側に設けられ電動機の出力軸３の回転を固定するシャフトロック７と、エンドブラケット４の下方に設けられ被加工材上を摺動するベース８とで主に構成されている。
【００３０】
ベース８は、ハウジング部２からベース８に延びる一対のコラム９によってハウジング部２に支持されて被加工材上を摺動する。ハウジング部２には作業者が把持する一対のハンドル１０が設けられている。更に、ベース８には貫通穴８ａ（図３）が設けられ、刃物６が通過可能に構成されており、刃物６のベース８の底面からの突出量を調整するための突出量調整機構１１が設けられている。突出量調整機構１１は、ベース８の上面に設けられたストッパ１２と、ハウジング部２にノブ１４を介して上下方向（図１の上下方向）に移動可能に設けられストッパ１２の先端部に一端が当接可能なストッパポール１３とで構成されている。ストッパポール１３の他端部側と対向するハウジング部２には、突出量を示す目盛り１５が設けられている。
【００３１】
ハウジング部２の外面には、外側に向けて突出する４つの突出部１６が設けられており、刃物６を電動機の出力軸３に対して着脱する際に作業者が把持する部分となる。詳細については後述する。
【００３２】
次に、ルータ１の動作について説明する。作業者がハンドル１０を把持し、不図示の電源をオンして刃物６を回転させる。ハウジング部２はコラム９に沿ってベース８に対して離間・近接する方向に移動することができるため、作業者がハンドル１０を把持し、ハウジング部２をベース８に対して近接する方向に押すとベース８の貫通穴８ａから刃物６がベース下方に突出し被加工材の切削を行うことができる。このとき、刃物６のベース８からの突出量は突出量調整機構によって調整することができる。ノブ１４を緩めてストッパポール１３をハウジング部１３に対して移動可能な状態にする。目盛り１５を見ながらストッパポール１３を上下移動させて所望の突出量でノブ１４を締め付けることでベース８の底面からの刃物６の最大突出量を調整することができる。なお、ハウジング部２は不図示のスプリングによってベール８と離れる方向（図１の上方向）に常に付勢されている。
【００３３】
次に、刃物６を電動機の出力軸３に対して着脱する構成及び動作について説明する。まず、ロック機構となるシャフトロック７について説明する。図２及び図４に示すように、シャフトロック７とエンドブラケット４の間であって、シャフトロック７の軸部７ａ周りにはスプリング１８が設けられており、シャフトロック７を常時外側（図４の右方向）に付勢している。作業者がシャフトロック７を押すことによりスプリング１８が圧縮され、電動機の出力軸３に設けられた穴部２０にシャフトロック７の軸部７ａの先端が挿入されることで電動機の出力軸３の回転が固定される。シャフトロック７を開放することによりスプリング１８のスプリング力でシャフトロック７が初期状態（図４の状態）に戻され電動機の出力軸３の固定が解除される。
【００３４】
コレットチャック５は六角形状に形成されており、図４に示すように、作業者は一方の手１９でシャフトロック７を押して出力軸３の回転を固定しすると共にハウジング部２を把持した状態で、他方の手でスパナ２００をコレットチャック５に係合してコレットチャック５（スパナ２００）を図４中下側に回すことで、出力軸３の先端に取り付けられている刃物６を交換することができる。
【００３５】
ここで、スパナ２００を回す際に、作業者はハウジング部２を把持することになるが、本発明によれば、ハウジング部２の外周部に突出部１６（指掛け部）を設けたため、作業者はハウジング部２を安定して把持することができる。以下、作業者が把持する箇所となる突出部１６について説明する。
【００３６】
図２において、一対のコラム９の中心９ａを結ぶ線を第１仮想線Ｌ１、第１仮想線Ｌ１と直交し、刃物６の中心６ａを通る線を第２仮想線Ｌ２と定義する。更に、仮想線Ｌ１及びＬ２によって区画される４つの領域において、シャフトロック７が位置する領域を第１領域Ｓ１（図２の右上）、第１仮想線Ｌ１に対して第１領域Ｓ１側であって第１領域Ｓ１に隣接する領域を第２領域Ｓ２（図２の左上）、第１仮想線Ｌ１に対して第１の領域Ｓ１と反対側で第１領域Ｓ１に隣接する領域を第３領域Ｓ３（図２の右下）、第２領域Ｓ２及び第３領域Ｓ３と隣接する残りの領域を第４領域Ｓ４（図２の左下）と定義する。
【００３７】
図１及び図２に示すように、ハウジング部２及びエンドブラケット４の表面には４つの突出部１６がコラム９の長手方向と略平行に設けられており、各突出部１６はそれぞれ各領域Ｓ１乃至Ｓ４に設けられている。各突出部１６のハウジング部２（エンドブラケット４）との接続部（接続面）１６ａは、図２に示すように、一対のコラム９の中心９ａを結ぶ第１の仮想線Ｌ１に対して略直交するように設けられている。すなわち第１領域Ｓ１及び第３領域Ｓ３に位置する突出部１６の接続部１６ａを結ぶ線Ｌ３は第１仮想線Ｌ１と略直交すると共に第２仮想線Ｌ２と略平行になっている。同様に、第２領域Ｓ２及び第４領域Ｓ４に位置する突出部１６の接続部１６ａを結ぶ線Ｌ４も第１仮想線Ｌ１と略直交すると共に第２仮想線Ｌ２と略平行になっている。刃物６を着脱する場合、作業者は突出部１６の接続部１６ａ（具体的には第１領域Ｓ１の突出部１６）に指を引っ掛けるが、接続部１６ａは第１仮想線Ｌ１に対して略直交しているため、指が滑りにくくなり安定してルータ本体を押さえることができるようになり、作業性を向上することができる。
【００３８】
図２に示すように、第１領域Ｓ１にはロック機構となるシャフトロック７が配置されている。第１領域Ｓ１に位置する突出部１６は、シャフトロック７の近傍であって、シャフトロック７の軸部７ａの延長線上に位置している。突起部１６はシャフトロック７を押す作業者の人指し指に係らないような位置、大きさでハウジング部２（エンドブラケット４）に設けられており、人指し指がハウジング部２（エンドブラケット４）の表面から最短の距離でシャフトロック７を押せるように構成されている。シャフトロック７と突出部１６が近接しシャフトロック７が突出部１６に向かって設けられているため、図３に示すように、刃物６を着脱する場合、作業者が突出部１６に指を引っ掛けた際に指を少しずらすだけでシャフトロック７を押すことができる。従って、ルータ本体を安定して押さえつつ容易に出力軸３をロックすることができる。ロック状態でスパナ２００をコレットチャック５にはめ込んで回転させることで刃物６を着脱することができるため、操作性を向上することができる。
【００３９】
第１領域Ｓ１及び第２領域Ｓ２に位置する突出部１６の接続部１６ａは、第２仮想線Ｌ２に対して略対称に設けられている。すなわち、第１領域Ｓ１に位置する接続部１６ａは突出部１６の反第２仮想線Ｌ２側（コラム９側）に位置し、第２領域Ｓ２に位置する接続部１６ａも同様に、突出部１６の反第２仮想線Ｌ２側（コラム９側）に位置している。言い換えると、各接続部１６ａは突出部１６の第２仮想線Ｌ２に対して最も離れた位置に設けられている。第３領域Ｓ３及び第４領域Ｓ４に位置する突出部１６の接続部１６ａも同様に、突出部１６の第２仮想線Ｌ２に対して最も離れた位置に設けられている。この様な構成にすることにより、刃物６を着脱する場合、作業者が第１領域Ｓ１及び第２領域Ｓ２の突出部に手（指）を引っ掛けるが、親指又は掌を第２領域Ｓ２の接続部１６ａに、その他の指を第１領域Ｓ１の接続部１６ａに引っ掛けた際に、各接続部１６ａは第１仮想線Ｌ１と略直交しているため、接続部１６ａから指が滑りにくく安定してルータ本体を押さえることができる。
【００４０】
ルータ１は、上述したように、刃物６のベース８からの突出量を調整する突出量調整機構１１が設けられている。突出量調整機構１１はストッパポール１３の移動を規制するための固定部材となるノブ１４を有する。ノブ１４は、作業者が操作するノブ本体１４と、ハウジング部２にねじ嵌合するねじ部１４ａから構成される。ねじ部１４ａの先端でストッパポール１３を押し付けることでストッパポール１３の移動を規制している。図２に示すように、ノブ１４は、第２領域Ｓ２に位置していると共に、第１仮想線Ｌ１に対して略直交する方向でハウジング部２とネジ嵌合している。従って、刃物６を着脱する場合、作業者は親指又は掌を第２領域Ｓ２の突出部１６の接続部１６ａに引っ掛ける代わりに、図３及び図４に示すように、ノブ１４に引っ掛けることができるため、ルータ本体を安定して押さえることができる。突出部１６の接続部１６ａよりもノブ１４の方が第１仮想線Ｌ１から突出して設けられているため、親指をより安定して引っ掛けることができる。第２領域Ｓ２には突出部１６の接続部１６ａとノブ１４の両方が設けられており、両者は第１仮想線Ｌ１に沿って設けられているため、作業者の手の大きさによってノブ１４及び接続部１６ａのどちらに指を引っ掛けるかを選択することができ、作業性及び操作性を更に向上することができる。
【００４１】
第３領域Ｓ３及び第４領域Ｓ４にもそれぞれ突出部１６が設けられている。突出部１６の接続部１６ａも同様に、第１仮想線Ｌ１に略直交していると共に第２仮想線Ｌ２に対して略対称に設けられている。すなわち、突出部１６の第２仮想線Ｌ２に対して最も離れた位置に設けられており、互いに反対方向（図２の左右方向）を向いているため、ルータ本体を把持する場合に指が滑りにくい。
【００４２】
図２に示すように、エンドブラケット４は４つのねじ１７でハウジング部２に取り付けられている。各ねじ１７は各突出部１６に設けられたねじ穴に取り付けられる。ねじ穴を突出部１６に設けることにより、別途ねじ穴を設ける必要がないため、作業者のルータの押さえを安定させつつ、ハウジング部２の大きさ（径方向の大きさ）を小さくすることができ、小型・軽量化を図ることができる。
【００４３】
突出部１６の接続部１６ａは第１仮想線Ｌ１に対して略直交する約９０°であるが、ハウジング部２は、ハウジング部２の径方向（図２の上下方向）に型を抜いて成形しているため、突出部１６には抜き勾配が必要になる場合がある。作業者がハウジング部２を把持し易い、指が滑りにくい角度が理想であり、具体的には、第１仮想線Ｌ１に対する突出部１６の接続部１６ａの角度は略直交する９０°以上が理想であるが、型の抜き方向の関係で９０°より大きくすることはできない。従って、接続部１６ａの第１仮想線Ｌ１に対する角度は、抜き勾配（５°程度）を考慮すると略９０°となる８５°程度であっても本発明の作用効果を得ることができる。すなわち、作業者によって指が滑りにくい角度であれば９０°である必要はなく、型の抜き方向を変えることで、接続部１６ａの第１仮想線Ｌ１に対する角度を９０°以上にすることも可能であり、作業者が指を引っ掛けられる構成であれば良い。ここで、接続部１６ａの９０°以上とは、第１仮想線Ｌ１から離れるに従って第２仮想線Ｌ２から離れる方向に接続部１６ａが傾斜していることを意味する。
【００４４】
以上説明したように、本発明は、ハウジング部２の外周面に外側に突出する突出部１６を設け、突出部１６の接続部１６ａを第１仮想線Ｌ１に対して略直交するように設けたことによって、作業者が刃物６を着脱する際に、作業者が突出部１６に指を引っ掛け易く、且つ滑りにくくすることができ、操作性の良いルータを提供することができる。
【００４５】
また、突出部１６の近傍にロック機構（シャフトロック）７を設けたことにより、作業者は指を少し動かすだけで、電動機の出力軸をロックすることができるため、ルータを安定して押さえながら容易に電動機の出力軸をロックすることができ、操作性・作業性を向上することができる。
【００４６】
更に、２つの突出部１６の各接続部１６ａを互いに反対位置（第２仮想線Ｌ２から離れた位置）に設けたため、一方の接続部１６ａに親指を、他方の接続部１６ａにその他の指を引っ掛け易く且つ滑りにくくすることができる。
【００４７】
更に、親指が位置する領域に接続部１６ａとは別に固定部材（ノブ）１４を設けたため、作業者の手の大きさにより把持する箇所を選択することができ、且つ、ノブ１４に親指を引っ掛ければ、より安定してルータ本体を押さえることができる。
【００４８】
更に、４つの突出部１６をそれぞれ異なる領域Ｓ１乃至Ｓ４に設けることにより、用途に応じて、把持する突出部１６を選択することができ、操作性を向上することができる。
【００４９】
更に、ハウジング部２とエンドブラケット４を接続するねじ１７を突出部１６に設けたため、ハウジング部２を小型・軽量化することができる。
【符号の説明】
【００５０】
１はルータ、２はハウジング部、３は電動機の出力軸、４はエンドブラケット、５はコレットチャック、６は刃物、７はシャフトロック、８はベース、９はコラム、１０はハンドル、１１は突出量調整機構、１２はストッパ、１３はストッパポール、１４はノブ、１５は目盛り、１６は突出部、１７はネジ、１８はスプリング、１９は手、２０は穴部、２００はスパナである。
【図１】
0005509734.tif 000002
【図２】
0005509734.tif 000003
【図３】
0005509734.tif 000004
【図４】
0005509734.tif 000005
【図５】
0005509734.tif 000006
【図６】
0005509734.tif 000007
【図７】
0005509734.tif 000008
【図８】
0005509734.tif 000009
【図９】
0005509734.tif 000010